(57)【要約】【課題】臀部を冷やすことがないようにした上で、便座を排便容器内に収納して蓋板で施蓋でき、一括して持ち運ぶことができるようにする。【解決手段】有底筒状の排便容器１と、排便孔１１を有していて排便容器１の開口部２に着脱自在に装着される便座１０と、排便容器１の開口部２を閉鎖する蓋板２０とを備えた簡易トイレにおいて、上記便座１０を、排便容器１内に嵌り込む形状に形成された座板１０ａの上面にクッション材１０ｂを設けて形成し、この便座１０を排便容器１の開口縁部に着脱自在に取り付けられる複数個の支持具１５によって支持する。【選択図】図１
0003111052.tif 000002
【実用新案登録請求の範囲】
【請求項１】
有底筒状の排便容器と、排便孔を有していて排便容器の開口部に着脱自在に装着される便座と、排便容器の開口部を閉鎖する蓋板とを備えた簡易トイレにおいて、
上記便座を、排便容器内に嵌り込む形状に形成された座板の上面にクッション材を設けて形成し、この便座を排便容器の開口縁部に着脱自在に取り付けられる複数個の支持具によって支持していることを特徴とする簡易トイレ。
【請求項２】
支持具は、排便容器の開口縁部に係合する係合部と、便座の縁部を水平支持する支持部とを有していることを特徴とする請求項１に記載の簡易トイレ。
【請求項３】
便座の尿の排出側に取手を取り付けたことを特徴とする請求項１又は２に記載の簡易トイレ。
【請求項４】
便座の排便孔に内袋を挿入し、該内袋の開口端部を取手に引っ掛けるようにしたことを特徴とする請求項３に記載の簡易トイレ。
【請求項５】
排便容器の開口部近傍の内面に環状の溝を形成すると共に、該溝に嵌脱自在に内嵌する係止リングを設け、排便容器に内装した内袋をその内側から係止リングを溝に係合させて排便容器内に装着したことを特徴とする請求項１乃至４のいずれかに記載の簡易トイレ。
【考案の詳細な説明】
【技術分野】
【０００１】
本考案は、災害時やキャンプなどで使用する簡易トイレに関するものである。
【背景技術】
【０００２】
従来のこの種簡易トイレとしては、使用済みのペール缶を転用した排便容器と、排便孔を有していて排便容器の開口部に取り付けられる便座としての中蓋と、該中蓋の上方から排便容器を施蓋する蓋板とを具備しているものが公知になっている（例えば特許文献１参照）。
そして、排便容器に便収容袋を内装し、排便容器の開口縁部に便収容袋の開口端部を引っ掛けて、該開口縁部に中蓋の外周部のビードを係合し、中蓋の上面に着座して排便に供する。
【特許文献１】登録実用新案３０１９６２２号公報（第１−３頁、第１−３図）
【考案の開示】
【考案が解決しようとする課題】
【０００３】
しかしながら、従来の簡易トイレの場合、金属製の中蓋の上面に直接着座するため、臀部が冷えるという問題がある。
そこで、上記問題点を解決すべく中蓋にクッション材を貼着することは考えられるが、そのようにすると、クッション材を貼着した分嵩高くなり、蓋板を施蓋することができず、排便容器、中蓋、蓋板を一括して持ち運ぶことができなくなる。
そこで、本考案は前記問題点に鑑み、便座にクッション材を貼着しても施蓋でき、排便容器、便座、蓋板を一括して持ち運ぶことができる簡易トイレを提供することを目的とする。
【課題を解決するための手段】
【０００４】
前記課題を解決するために、本考案の簡易トイレは、有底筒状の排便容器と、排便孔を有していて排便容器の開口部に着脱自在に装着される便座と、排便容器の開口部を閉鎖する蓋板とを備えた簡易トイレにおいて、上記便座を、排便容器内に嵌り込む形状に形成された座板の上面にクッション材を設けて形成し、この便座を排便容器の開口縁部に着脱自在に取り付けられる複数個の支持具によって支持していることを特徴としている。
この場合、便座の上面にクッション材を設けてあるので臀部が冷えることがなく、排便容器の開口縁部の複数箇所に支持具を係合させるだけで便座を支持できるので、誰もが簡単に使用でき、そのようにした上で、便座及び支持具を排便容器内に収納して施蓋でき、保管、持ち運びが簡便になる。
【０００５】
支持具は、排便容器の開口縁部に係合する係合部と、便座の縁部を水平支持する支持部とを有していることを特徴としている。
したがって、排便容器の開口縁部の複数箇所に支持具を取り付けることで、便座を水平支持するようになり、着座した臀部を安定支持できる。
便座の尿の排出側に取手を取り付けたことを特徴としている。
そうすれば、便座を排便容器から取り外す際、取手を持って引き出せばよく、便座を手で直接触れることがないので、清潔である。また、取手によって、便座における着座姿勢のバランスを保つことができる。
【０００６】
便座の排便孔に内袋を挿入し、該内袋の開口端部を取手に引っ掛けるようにしたことを特徴としている。
この場合、内袋の開口端部を取手に引っ掛けることで、該開口端部が便座の上面よりも高位置にあるので、尿が内袋の開口端部を超えて外側に漏れるのが少なくなり、排便容器の周囲を汚すことがない。
排便容器の開口部近傍の内面に環状の溝を形成すると共に、該溝に嵌脱自在に内嵌する係止リングを設け、排便容器に内装した内袋をその内側から係止リングを溝に係合させて排便容器内に装着したことを特徴としている。
【０００７】
係止リングを内袋の内側から排便容器の溝に係合させるだけでよく、内袋を排便容器に簡単に装着できる。
【考案の効果】
【０００８】
本考案によれば、便座のクッション材により臀部が冷えることもなく快適に使用でき、その上で便座及び支持具を排便容器内に収納して蓋板を取り付けることができ、便座、支持具、排便容器、蓋板を１つにして持ち運ぶことができる。
【考案を実施するための最良の形態】
【０００９】
本考案を実施するための最良の形態につき図１乃至図３を参照して説明する。本考案の簡易トイレは、上部に開口部２を有する排便容器１と、該排便容器１に設けられた便座１０と、排便容器１の開口縁部の複数箇所に係合可能な便座１０の支持具１５と、排便容器１の開口部２に取り付けられる蓋板２０とから構成されている。
排便容器１は、直径３０ｃｍ、高さ２４ｃｍの有底円筒状のペール缶が使用されていて、小型で持ち運びやすく、収納スペースも小さくてすみ、例えば自動車の前列と後列の座席シートの間に収納できる。
【００１０】
排便容器１の開口部２の近傍（下側）には、その外周面に沿って環状突条のビード３ａが形成されていて、該ビード３ａの内壁が環状の溝３ｂになっており、該溝３ｂには、係止リング５が係合するようになっている。該係止リング５は、溝３ｂに係合可能な太さを有する１本のステンレス製の線材の両端部を圧着することによって形成されており、係止リング５の直径が排便容器１の直径よりも若干大きくなっている。
そして、排便容器１に汚れを防止するための内袋４ａを内装し、該内袋４ａ内に係止リング５を少し変形させた状態で挿入し、内袋４ａの開口端部の内側から係止リング５を排便容器１の溝３ｂに係合させて、排便容器１に内袋４ａをセットする。
【００１１】
排便容器１の底部の周縁部には、該周縁部に沿って傷、汚れ、錆を防止するための保護部材６が両面テープによって捲着されている。
便座１０は、排便容器１内に嵌り込むような形状、即ち開口部２の開口径よりも若干小さい円板状の座板１０ａと、該座板１０ａの中央部に穿設された排便孔１１と、該排便孔１１を除く座板１０ａの上面に設けられたクッション材１０ｂとを備えている。
座板１０ａは、耐水性を有し且つ臀部を充分に支持できる強度を有する厚肉のものが使用されている。クッション材１０ｂは便座１０ａの上面に固着されている。
【００１２】
排便孔１１は、後部が大きく前部が小さく開口した略楕円形状を呈していて、該排便孔１１には、便を収容するための内袋４ｂが内挿される。内袋４ｂとしては、スーパーなどでもらった使用済みのビニル袋であってもよい。このように、汚れを防止するための内袋４ａと便を収容するための内袋４ｂの二重構造とすることで、排便容器１の内部が汚れにくい構造になっている。
また、便座１０における尿の排出側（実施形態の場合は便座１０の前側）には、コイル状ワイヤを、その最上部が便座１０の上面から８０ｍｍになるように逆Ｕ字形状に折り曲げられた取手１２が取り付けられている。なお、ここでいう尿の排出側とは、便座１０における着座姿勢において前側又は後側である。
【００１３】
取手１２の両端部は、便座１０の挿通孔１３に挿通されていて、該両端部には、取手１２の直径よりも大きい頭部１４ａを有するφ４ｍｍのトラスねじ１４ｂが螺合しており、トラスねじ１４ｂの螺合した両端部の拡径部１２ａが挿通孔１３の壁面に対して移動可能であり、拡径部１２ａを挿通孔１３内に移動することにより取手１２を上方突出姿勢に保持でき、拡径部１２ａを挿通孔１３内から下方へ移動することにより取手１２を収納姿勢とすることができ、取手１２は出退自在になっている。
取手１２には、内袋４ｂの開口端部が引っ掛けられており、内袋４ｂの開口端部が排出される尿よりも高い位置、即ち便座１０の上面よりも高い位置になっている。よって、排出された尿が内袋４ｂの開口端部を超えて外側に漏れることがないので、排便容器１の周囲を汚すことがない。
【００１４】
そして、取手１２を把持して便座１０を取り外すこともできて、取手１２に支持具１５を引っ掛けることもできる。この取手１２を設けることで、便座１０を手で直接触れることなく着脱できるので衛生的である一方、便座１０と支持具１５を排便容器１内に一括収納するのに便利である。
支持具１５は、ステンレス製の帯板を折曲して形成しており、排便容器１の開口縁部に係合する断面逆Ｕ字形状の係合部１６と、該係合部１６の一側に設けられた断面Ｌ字形状の支持部１７と、係合部１６の他側に設けられた係止部１８とを有している。該係止部１８は、係合部１６の下端部が支持部１７側に若干折り曲げられており、排便容器１のビード３ａの外壁の下側に係合するように構成されている。係合部１６と支持部１７とで充分な支持強度を確保できる場合は、係止部１８を除いてもよい。また、係止部１８は、服などが引っ掛からないように加工が施されて、寸法も設定されている。
【００１５】
そして、支持部１７が排便容器１の内側に突出するように（排便容器１の径内方向に位置するように）、支持具１５の係合部１６を排便容器１の開口縁部に係合させ、係止部１８を排便容器１のビード３ａの外壁の下側に係合させ、支持部１７に便座１０の周縁部を載置し、便座１０の上面が排便容器１の開口端と略同一面になるように、便座１０は水平支持されて開口部２を略閉塞するようになっている。
図１、３において、蓋板２０には、その周縁部に嵌着部２１が形成されていて、排便容器１の開口縁部の周縁に嵌脱可能になっている。該蓋板２０の嵌着部２１の外周側には、断面Ｕ字形状のバンド２２が捲装されている。
【００１６】
該バンド２２の両端部にはバックル２３が設けられていて、バックル２３によってバンド２２が収縮されて嵌着部２１を排便容器１の開口縁部に嵌着するようになっており、蓋板２０は排便容器１の開口部２を密封する。
つぎに使用態様について説明する。蓋板２０を取り外して排便容器１の開口部２が開放された状態で汚れを防止するための内袋４ａを内装し、内袋４ａの開口端部を排便容器１の開口部２に覆い被せて、係止リング５を内袋４ａの内側から排便容器１の溝３ｂに係合し、内袋４ａを排便容器１にセットする。
【００１７】
つぎに、排便容器１の開口縁部に複数の支持具１５を略等間隔に係合し、該各支持具１５の支持部１７に便座１０の周縁部を載置する。この場合、支持部１７は便座１０を安定支持するために６つ使用する。
その後、便を収容するための内袋４ｂを便座１０の排便孔１１から挿入し、内袋４ｂで便座１０の上面を覆うように、且つ排便孔１１の内壁に沿うように広げてセットし、この状態で便座１０に着座して排便する。
排便後、内袋４ｂの開口部を縛って、仕切り板（図示せず）を用いて排便容器１内の片方に寄せて再使用に備える。使用後は持ち帰って処分する。
【００１８】
そして、保管又は持ち運ぶ際は、内袋４ａ、４ｂを折り畳んで排便容器１の底部に収納し、排便容器１から便座１０を取り外し、排便容器１の開口縁部から各支持具１５を取り外し、係止リング５を溝３ａに係合させた状態のまま、内袋４ａ、４ｂ、便座１０、各支持具１５を排便容器１内に収納した状態で、蓋板２０で排便容器１の開口部２を閉塞し、バンド２２を蓋板２０の周縁部に捲回し、バックル２３でバンド２２の両端部を引き寄せて締結し、排便容器１の開口部２を密封する。汚れを防止するための内袋４ａは、洗浄して繰り返し使用してもよく、便座１０は係止リング５の上側に載せておいてもよい。
【００１９】
このように、上述した簡易トイレにおいては、自動車での外出時に携帯でき、組立も簡単で、緊急時に使用できるので安心感がもてる。また、排便容器１としてペール缶を使用しているので、安価に構成できて、車内において保管してもトイレがあるとは思われない。
なお、前記実施形態の場合、排便容器１としてペール缶を使用したが、ペール缶に限定されるものではなく、木製、合成樹脂製又は金属製のいずれの容器であってもよい。要するに、有底筒状のもので便を収容できるものであればよい。
【００２０】
内袋４ａ、４ｂは、吸水性を有するものを使用してもよい。
便座１０の座板１０ａは合板、合成樹脂製又は金属製のいずれであってもよい。座板１０ａが磁着可能な金属で形成して、クッション材１０ｂにシート状のマグネットを貼着しておいてもよい。
クッション材１０ｂは、洗浄可能で繰り返し使用できるように耐水性を有するものを使用してもよく、クッション材１０ｂの裏面に、繰り返し着脱可能な両面テープを貼着してもよい。
【００２１】
取手１２は、コイル状ワイヤの代わりに棒状部材を使用して、リング状、逆Ｌ字形状又はＴ字形状としてもよく、着座する人の保持、起立する際の支えになるようにして、幼児、高齢者、被介護者等を対象とした簡易トイレとしてもよい。また、取手１２は、便座１０に対して昇降可能、回動可能又は着脱可能に構成するようにしてもよい。
支持具１５も、合成樹脂製又は金属製いずれであってもよく、人が着座した状態の便座１０を安定支持できる強度を有するものであればよい。また、支持具１５の支持部１７を、便座１０の周縁部の広範囲を支持できる程度の大きさにすれば、２つの支持具１５で便座１０を支持することもできる。
【００２２】
内袋４ａを、係止リング５を用いて排便容器１に装着するようにしたが、支持具１５を用いてもよい。
【図面の簡単な説明】
【００２３】
【図１】本考案の一実施形態の簡易トイレの分解斜視図である。
【図２】使用する際の簡易トイレを示す側断面図である。
【図３】保管又は持ち運ぶ際の簡易トイレを示す側断面図である。
【符号の説明】
【００２４】
１  排便容器
２  開口部
３ｂ  溝
４ａ、４ｂ  内袋
５  係止リング
１０  便座
１０ａ  座板
１０ｂ  クッション材
１１  排便孔
１２  取手
１５  支持具
１６  係合部
１７  支持部
２０  蓋板
【図１】
0003111052.tif 000003
【図２】
0003111052.tif 000004
【図３】
0003111052.tif 000005